(57)【要約】【課題】冷蔵庫の電源投入後の冷蔵室と冷凍室の冷却を迅速かつ確実に行うことができる冷蔵庫を提供する。【解決手段】起動制御モードにおいて、第１ステップとしてＲモードを行い、第２ステップとしてＲファンとＦファンを駆動させてＲモードを行い、第３ステップとしてコンプレッサの能力の上限を制限しつつＲモードとＦモードを交互に行うものである。【選択図】　　　　図３
2004077029.tif 000002
【特許請求の範囲】
【請求項１】
能力可変のコンプレッサ、凝縮器、切替手段が順次接続され、この切替手段の一方の出口には冷蔵用キャピラリーチューブと冷蔵室用蒸発器が接続され、前記切替手段の他方の出口には冷凍用キャピラリーチューブが接続され、前記冷蔵室用蒸発器の出口配管と、前記冷凍用キャピラリーチューブの出口配管が冷凍室用蒸発器に接続された冷凍サイクルを有し、
前記冷蔵室用蒸発器、または、前記冷凍室用蒸発器への冷媒流路を前記切替手段によって交互に切替えることによって、少なくとも冷蔵室を冷却する冷蔵冷却モードと冷凍室のみを冷却する冷凍冷却モードを交互に行う制御手段を有し、
前記冷凍室用蒸発器の冷気を前記冷凍室に送風する冷凍室用送風ファンを有し、
前記冷蔵室用蒸発器の冷気を前記冷蔵室に送風する冷蔵室用送風ファンを有した冷蔵庫において、
前記制御手段は、前記冷蔵庫の電源投入時に起動制御モードを行うものであり、
前記起動制御モードは、
第１ステップとして冷凍冷却モードを行い、この第１ステップを所定時間行うか、または、冷凍室の庫内温度が所定温度より低くなれば、第２ステップに移行し、
第２ステップとして前記冷凍室用送風ファンと前記冷蔵室用送風ファンとを駆動させつつ冷蔵冷却モードを行い、この第２ステップを所定時間行うか、冷蔵室の庫内温度が所定温度より低くなるか、または、冷凍室の庫内温度が所定温度より低くなれば第３ステップに移行し、
第３ステップとして前記コンプレッサの能力の上限値を制限しつつ、冷蔵冷却モードと冷凍冷却モードを交互に行う
ことを特徴とする冷蔵庫。
【請求項２】
前記制御手段は、
前記第１ステップ及び前記第２ステップにおける前記コンプレッサの能力を固定する
ことを特徴とする請求項１記載の冷蔵庫。
【請求項３】
前記制御手段は、
前記第１ステップ終了後に、前記切替手段の二つの出口を閉じて冷媒が前記冷蔵室用蒸発器と前記冷凍室用蒸発器のどちらにも流れないようにしつつ、前記コンプレッサを動作させる冷媒回収モードを行い、その後に前記第２ステップに移行する
ことを特徴とする請求項１または２記載の冷蔵庫。
【請求項４】
前記制御手段は、
前記第３ステップにおいて、冷蔵室または冷凍室の庫内温度が設定温度より低くなるか、冷蔵冷却モードと冷凍冷却モードとを一回づつ行うか、電源投入後所定時間が経過すれば、この第３ステップを終了する
ことを特徴とする請求項１から３のうち少なくとも一項に記載の冷蔵庫。
【請求項５】
前記制御手段は、
前記第３ステップにおいて、冷蔵冷却モードと冷凍冷却モードとのそれぞれにおいて前記コンプレッサの能力の上限値を設定する
ことを特徴とする請求項１から４のうち少なくとも一項に記載の冷蔵庫。
【請求項６】
前記制御手段は、
電源投入時に冷蔵室の庫内温度が所定温度より低いときは、前記起動制御モードを行わない
ことを特徴とする請求項１から５のうち少なくとも一項に記載の冷蔵庫。
【請求項７】
前記冷凍サイクルにおける冷媒が、イソブタンである
ことを特徴とする請求項１から６のうち少なくとも一項に記載の冷蔵庫。
【発明の詳細な説明】
【０００１】
【発明の属する技術分野】
本発明は、冷蔵室と冷凍室のそれぞれに冷気を供給する蒸発器を持ち、冷媒の流路を切替えながら２つの部屋を冷却することができる冷蔵庫に関するものである。
【０００２】
【従来の技術】
最近の冷蔵庫においては、冷蔵室用蒸発器（以下、Ｒエバという）と、冷凍室用蒸発器（以下、Ｆエバという）を有し、三方弁によって冷媒の流路をＲエバとＦエバの両方に流して少なくとも冷蔵室を冷却する冷蔵冷却モード（以下、Ｒモードという）と、Ｆエバにのみ冷媒を流して冷凍室を冷却する冷凍冷却モード（以下、Ｆモードという）を行うことができるものが提案されている。
【０００３】
この冷蔵庫において、電源を投入した時には、ＲモードとＦモードを交互に行う通常の交互運転を行うのでなく、起動制御モードを行うようにしている。
【０００４】
この起動制御モードとは、電源投入時に冷蔵庫の庫内温度を検知し、この検知した温度が１０℃以上であれば、冷蔵庫が無冷却であると判断し、三方弁を切替えてＲモードで運転し、冷蔵室と冷凍室の両方を設定温度まで冷却するように運転するものである。
【０００５】
【発明が解決しようとする課題】
しかしながら、上記のような従来の起動制御モードにおいては、Ｒエバに繋がれている冷蔵用キャピラリーチューブの絞りが緩いため、蒸発器温度が高く、その結果この高い温度で冷凍室を冷却するには、比較的長い時間がかかり、冷蔵室の冷却と冷凍室の冷却のバランスの制御がしづらいという問題点がある。
【０００６】
特に、ＪＩＳ規格においては、電源投入後３時間以内に冷蔵室と冷凍室が共に一定温度以下に冷却する必要があるという冷却スピードの規格があり、この規格を満足するために、ＲエバとＦエバに負荷がかかるという問題点がある。
【０００７】
また、Ｒモードにおいては、冷蔵用キャピラリーチューブ、Ｒエバ、Ｆエバの順で直列に連結しているため、上流側の冷蔵室に負荷がかかった場合、例えば、熱い食品を冷蔵室に収納した場合などにおいては、Ｒエバ内部で気液二相冷媒が全て蒸発してしまい、Ｆエバの液冷媒がなくなり、Ｆエバによる冷凍室の冷却が不可能になるという問題点もある。
【０００８】
そこで、本発明は上記問題点に鑑み、冷蔵庫の電源投入後の冷蔵室と冷凍室の冷却を迅速かつ確実に行うことができる冷蔵庫を提供するものである。
【０００９】
【課題を解決するための手段】
請求項１の発明は、能力可変のコンプレッサ、凝縮器、切替手段が順次接続され、この切替手段の一方の出口には冷蔵用キャピラリーチューブと冷蔵室用蒸発器が接続され、前記切替手段の他方の出口には冷凍用キャピラリーチューブが接続され、前記冷蔵室用蒸発器の出口配管と、前記冷凍用キャピラリーチューブの出口配管が冷凍室用蒸発器に接続された冷凍サイクルを有し、前記冷蔵室用蒸発器、または、前記冷凍室用蒸発器への冷媒流路を前記切替手段によって交互に切替えることによって、少なくとも冷蔵室を冷却する冷蔵冷却モードと冷凍室のみを冷却する冷凍冷却モードを交互に行う制御手段を有し、前記冷凍室用蒸発器の冷気を前記冷凍室に送風する冷凍室用送風ファンを有し、前記冷蔵室用蒸発器の冷気を前記冷蔵室に送風する冷蔵室用送風ファンを有した冷蔵庫において、前記制御手段は、前記冷蔵庫の電源投入時に起動制御モードを行うものであり、前記起動制御モードは、第１ステップとして冷凍冷却モードを行い、この第１ステップを所定時間行うか、または、冷凍室の庫内温度が所定温度より低くなれば、第２ステップに移行し、第２ステップとして前記冷凍室用送風ファンと前記冷蔵室用送風ファンとを駆動させつつ冷蔵冷却モードを行い、この第２ステップを所定時間行うか、冷蔵室の庫内温度が所定温度より低くなるか、または、冷凍室の庫内温度が所定温度より低くなれば第３ステップに移行し、第３ステップとして前記コンプレッサの能力の上限値を制限しつつ、冷蔵冷却モードと冷凍冷却モードを交互に行うことを特徴とする冷蔵庫である。
【００１０】
請求項２の発明は、前記制御手段は、前記第１ステップ及び前記第２ステップにおける前記コンプレッサの能力を固定することを特徴とする請求項１記載の冷蔵庫である。
【００１１】
請求項３の発明は、前記制御手段は、前記第１ステップ終了後に、前記切替手段の二つの出口を閉じて冷媒が前記冷蔵室用蒸発器と前記冷凍室用蒸発器のどちらにも流れないようにしつつ、前記コンプレッサを動作させる冷媒回収モードを行い、その後に前記第２ステップに移行することを特徴とする請求項１または２記載の冷蔵庫である。
【００１２】
請求項４の発明は、前記制御手段は、前記第３ステップにおいて、冷蔵室または冷凍室の庫内温度が設定温度より低くなるか、冷蔵冷却モードと冷凍冷却モードとを一回づつ行うか、電源投入後所定時間が経過すれば、この第３ステップを終了することを特徴とする請求項１から３のうち少なくとも一項に記載の冷蔵庫である。
【００１３】
請求項５の発明は、前記制御手段は、前記第３ステップにおいて、冷蔵冷却モードと冷凍冷却モードとのそれぞれにおいて前記コンプレッサの能力の上限値を設定することを特徴とする請求項１から４のうち少なくとも一項に記載の冷蔵庫である。
【００１４】
請求項６の発明は、前記制御手段は、電源投入時に冷蔵室の庫内温度が所定温度より低いときは、前記起動制御モードを行わないことを特徴とする請求項１から５のうち少なくとも一項に記載の冷蔵庫である。　請求項７の発明は、前記冷凍サイクルにおける冷媒が、イソブタンであることを特徴とする請求項１から６のうち少なくとも一項に記載の冷蔵庫である。
【００１５】
請求項１の発明であると、第１ステップにおける冷凍冷却モードにおいて冷凍室を冷却し、第２ステップにおける冷蔵冷却モードにおいて冷蔵室を冷却し、第３ステップにおいては冷凍冷却モードと冷蔵冷却モードを交互に行うことによって冷凍室と冷蔵室をそれぞれ冷却しているため、本来の設計通りの冷却能力を引き出すことができ、また、冷蔵室または冷凍室にそれぞれ熱負荷影響があっても、互いに影響を受けることなく冷却能力を発揮することができる。そのため、迅速に冷蔵室と冷凍室を冷却することができる。
【００１６】
また、第１ステップから第２ステップに移行する際に、冷凍室の庫内温度が所定温度より低くなるか、第１ステップを所定時間続けることにより、冷凍室が確実に冷却された後に第２ステップに移行することができる。
【００１７】
また、第２ステップから第３ステップに移行する際に、第２ステップを所定時間行うか、冷蔵室または冷凍室の庫内温度が所定温度より低くなれば第３ステップに移行するため、冷凍室または冷蔵室を目標通り冷却することができる。
【００１８】
さらに、第３ステップにおいて、交互冷却運転を行う場合に、コンプレッサの能力の上限値を制限しているため、電源投入時の負荷が大きい状態においてコンプレッサの回転数が高くなって使用条件範囲を逸脱して故障や事故の発生を防止することができ、また、切替手段の動作においても支障を来すことがない。
【００１９】
請求項２の発明においては、第１ステップ及び第２ステップにおけるコンプレッサの能力を固定しているため、コンプレッサの使用条件範囲を逸脱して故障や事故を起こすことがない。
【００２０】
請求項３の発明であると、第１ステップから第２ステップに移行する際に冷媒回収モードを行うことにより、第２ステップにおける冷蔵冷却モードを確実に行うことができる。すなわち、冷凍冷却モードから冷蔵冷却モードに切替えると、冷凍室用蒸発器に冷媒が溜まる状態となるため、冷蔵室用蒸発器への冷媒循環量が不足し、その結果冷蔵冷却モードにおける冷却が不良となる。このため、第１ステップ終了後に冷媒回収モードを行うことにより、冷媒を冷凍室用蒸発器から引き出して回収し、第２ステップに移行するものである。
【００２１】
請求項４の発明であると、冷蔵室または冷凍室の庫内温度が本来の設定温度に到達していない場合に、コンプレッサの能力が最大となると、コンプレッサの使用条件範囲を逸脱することがあるため、これを回避するために、冷蔵室または冷凍室の庫内温度が設定温度に到達するか、または、冷蔵冷却モードと冷凍冷却モードを１回ずつ行うか、または、電源投入から一定時間経過するまでコンプレッサの能力の上限値を制限している。これにより、コンプレッサの使用条件範囲を逸脱することがない。
【００２２】
請求項７の発明について説明する。
【００２３】
冷蔵室の冷却と冷凍室の冷却とでは、それぞれ冷却中の蒸発器の温度が違い、そのためコンプレッサへの負荷量も違ってくる。すなわち、冷蔵室用蒸発器の方の温度が高いため、コンプレッサへの負荷量も大きくなる。そこで、コンプレッサの能力を低負荷側（例えば、冷凍室用の冷却時）に設定すると、高負荷側（例えば、冷蔵室用冷却時）でコンプレッサが過負荷になり、起動運転不良になる。また、コンプレッサの能力を高負荷側に設定すると、コンプレッサの負荷量としては問題なく運転するが、冷却能力は小さくなる。そのため、請求項７においては、第３ステップでコンプレッサの高負荷側と低負荷側でそれぞれ能力の上限値を別々に設定することで、コンプレッサの負荷の抑制と冷却能力の確保を図るものである。
【００２４】
請求項８の発明であると、冷媒としてイソブタンを使用することにより、切替手段などの耐圧条件を低く設定でき構造の簡素化や駆動コイルの低コスト化が可能となる。
【００２５】
【発明の実施の形態】
以下、図面を参照しながら本発明の一実施例について図１から図３に基づいて説明する。
【００２６】
（１）冷蔵庫１の構造
図１は、本実施例を示す間冷式の冷蔵庫１の断面図である。
【００２７】
冷蔵庫１内部は、上段から冷蔵室２、野菜室３、切替室４、冷凍室５が設けられている。また、切替室４の横には、冷凍室５の一部として不図示の製氷室が設けられている。
【００２８】
冷凍室５の背面にある機械室６には、周波数によって能力を可変に調整できるコンプレッサ（例えば、インバータ制御のコンプレッサ）１２と、後から説明する凝縮器用送風ファン（以下、Ｃファンという）２９が設けられている。
【００２９】
切替室４の背面には、切替室４と冷凍室５を冷却するための冷凍室用蒸発器（以下、Ｆエバという）２６が設けられている。また、切替室４の背面には、Ｆエバ２６からの冷気の流量を調整して、切替室４の庫内温度を設定温度に調整する切替室用ダンパ８が配されている。
【００３０】
野菜室３の背面には、冷蔵室２と野菜室３を冷却するための冷蔵室用蒸発器（以下、Ｒエバという）１８が設けられている。
【００３１】
Ｆエバ２６の上方には、Ｆエバ２６によって冷却された冷気を切替室４と冷凍室５に送風するための送風ファン（以下、Ｆファンという）２８が設けられている。
【００３２】
Ｒエバ１８の上方には、Ｒエバ１８で冷却された冷気を冷蔵室２と野菜室３に送風するための送風ファン（以下、Ｒファンという）２０が設けられている。
【００３３】
冷蔵庫１の背面には、マイクロコンピューターよりなる制御部７が設けられている。この制御部７は、コンプレッサ１２、Ｒファン２０、Ｆファン２８、後述する三方弁２２を制御する。また、制御部７の操作部９は、冷蔵室２の扉の前面に設けられている。
【００３４】
冷蔵室２と野菜室３の仕切り板３２に脱臭装置３０が設けられている。
【００３５】
（２）冷凍サイクル１０の構成
図２は、冷蔵庫１の冷凍サイクル１０である。
【００３６】
まず、冷媒としては、Ｒ６００ａ（イソブタン）を使用する。
【００３７】
コンプレッサ１２から吐出された冷媒は、凝縮器１４を通った後、三方弁２２の冷媒切換機構によって冷媒流路が切り替えられる。
【００３８】
この三方弁２２の一方の出口には冷蔵側キャピラリーチューブ１６とＲエバ１８が順次接続され、三方弁２２の他方の出口には冷凍側キャピラリーチューブ２４が接続され、Ｒエバ１８の出口側配管と合流してＦエバ２６の入口側に接続されている。Ｆエバ２６の出側口配管は、コンプレッサ１２の吸込側に繋がっている。
【００３９】
（３）交互冷却運転
まず、冷蔵庫１における交互冷却運転について説明する。
【００４０】
交互冷却運転とは、コンプレッサ１２で圧縮、加圧された高温の冷媒は凝縮器１４で放熱され、それを出た冷媒は三方弁２２に入り、Ｒエバ１８またはＦエバ２６を冷却して下記で説明する冷蔵冷却モード（以下、Ｒモードという）と冷凍冷却モード（以下、Ｆモードという）を交互に行う運転をいう。
【００４１】
（３−１）Ｒモード
Ｒモードでは、三方弁２２を切り替え、冷蔵側キャピラリチューブ１６に冷媒を流し、Ｒエバ１８で蒸発して、この冷気がＲファン２０によって冷蔵室２と野菜室３に送られ冷却する。
【００４２】
（３−２）Ｆモード
Ｆモードでは、三方弁２２を切り替え、冷凍側キャピラリチューブ２４に冷媒が流れるように冷媒流路を切り替え、Ｆエバ２６で蒸発し、コンプレッサ１２に戻る。Ｆエバ２６における冷気は、Ｆファン２８によって冷凍室５などに送られる。
【００４３】
（３−３）ＲモードとＦモードの切り替えのタイミング
上記のようなＲモードとＦモードを交互に行う場合に、そのモードの切替えは、所定時間毎に行うか、または冷蔵室２の庫内温度が庫内上限温度より高くなった場合、または冷凍室５の庫内温度が庫内上限温度より高くなった場合に各モードを開始する。
【００４４】
また、冷蔵室２の庫内温度が庫内下限温度より低くなり、かつ、冷凍室５の庫内温度が庫内下限温度より低くなるとコンプレッサ１２は停止する。
【００４５】
（４）起動制御モード
次に、冷蔵庫１の電源が投入された直後の起動制御モードについて図３のフローチャートに基づいて説明する。
【００４６】
ステップＳ１において、電源が投入され、その時の冷蔵室２の庫内温度（以下、Ｒ温度という）が、１０℃以上であれば、冷蔵庫１が無冷却の状態であるとして起動制御モードを続け、１０℃以下であれば、冷蔵庫１は冷却されているとして、上記で説明した通常の交互冷却運転に移行する。
【００４７】
ステップＳ２において、三方弁２２を切替えて冷媒が冷凍側キャピラリーチューブ２４に流れるようにして、コンプレッサ１２の駆動周波数を４０．８Ｈｚで固定した駆動させ、Ｆファン２８を高速で回転させ、これによって冷凍室５に冷気が送られ冷却することができる。また、Ｒファン２０を停止させている。さらに、Ｃファン２９を高速で回転させてコンプレッサ１２を冷却している。このステップＳ２において、まず冷凍室５を冷却したのは、無冷却状態からの冷却においては目標温度と庫内温度との差が大きい冷凍室５の冷却を行うためである。そして、最初の段階でこの冷凍室５をある程度冷却することで、冷蔵室２と冷凍室５を略同時に目標温度に到達させることができる。
【００４８】
ステップＳ３において、ステップＳ２の制御を電源投入後２０分経過するまで続けるか、または、Ｆ温度が−１０℃以下であればステップＳ４に進み、そうでなければステップＳ２に戻る。なお、電源投入後２０分経過しても、Ｆ温度が目標温度に到達していなかっても、次のステップに進むのは、次のステップで冷凍室５の冷却を行うことにより確実にその冷却を続けることができるからである。以下、ステップＳ２とステップＳ３をまとめて第１ステップと呼ぶ。
【００４９】
ステップＳ４においては、ＦモードにおいてはＦエバ２６に冷媒が溜まっているため、これを回収するために冷媒回収モードを実施する。すなわち、三方弁２２を全閉状態にして冷蔵側キャピラリーチューブ１６と冷凍側キャピラリーチューブ２４のどちらにも冷媒が流れないようにしつつ、コンプレッサ１２を４０．８Ｈｚで固定して駆動させ、Ｒファン２０とＣファン２９は停止させる。そして、冷凍室５を冷却するためＦファン２８のみを高速で回転させる。
【００５０】
これによって、Ｒエバ２６に溜まっている冷媒が全てコンプレッサ１２及び凝縮器１４側に回収されることとなる。
【００５１】
ステップＳ５において、この冷媒回収モードが行われてから１２０秒経過したか否かを計測し、１２０秒経過していればステップＳ６に進み、そうでなければこの冷媒回収モードを続ける。
【００５２】
ステップＳ６において、冷媒回収が行われたため、Ｒモードを実施して冷凍室５と冷蔵室２の両方を冷却する。具体的には、三方弁２２を冷蔵側キャピラリーチューブ１６に冷媒が流れるように切替え、コンプレッサ１２の駆動周波数を４０．８Ｈｚで固定する。これによって、電源投入時の負荷が大きい状態においてコンプレッサ１２の回転数が高くなって使用条件範囲を逸脱して故障や事故を起こす恐れがない。また、三方弁２２の動作において支障を来すこともない。
【００５３】
また、Ｆファン２８を高速回転させて冷凍室５を冷却し、Ｒファン２０を低速で回転させて冷蔵室２を冷却する。Ｃファン２９を高速で回転させて凝縮器１４における冷媒の蒸発を促進させる。これによって、冷蔵室２と冷凍室５をコンプレッサ１２に高負荷をかけることなく冷却を行うことができる。
【００５４】
ステップＳ７において、ステップＳ６の状態が電源投入後１２０分経過しているか、または、Ｆ温度が−１０℃以下になっているか、または、Ｒ温度が冷蔵室の下限温度（ｏｆｆ温度＝１℃）にまで低くなっているかを判断し、上記３つの条件のうち１つでも満足していればステップＳ８に進み、そうでなければステップＳ６を続ける。
【００５５】
このような３つの条件を判断することにより、冷蔵室２と冷凍室５の庫内温度を目標の温度まで低くすることができ、また仮に目標の温度まで達しなかった場合でも、次のステップにおいて交互に冷却することができる。
【００５６】
以下、このステップＳ６とステップＳ７をまとめて第２ステップという。
【００５７】
ステップＳ８においては、Ｆモードに切替え、冷凍室５の冷却を行う。この場合には、コンプレッサ１２の駆動周波数の上限を６５Ｈｚに設定する。このように設定するのは、冷凍室５の冷却と冷蔵室２の冷却とではそれぞれ蒸発器温度が違い、そのためコンプレッサ１２への負荷量も違ってくる。例えば、Ｒエバ１８の方が温度が高いため、コンプレッサ１２への負荷量も大きくなる。そのため、コンプレッサ１２の回転数を低負荷側（冷凍室５の冷却時）に設定すると高負荷側（冷蔵室２の冷却時）でコンプレッサ１２の状態が過負荷になり、起動運転不良になる。また、圧縮機１２の回転数を高負荷側に設定すると、その負荷量としては問題なく運転できるが、冷却能力は小さくなる。そのため、コンプレッサ１２の高負荷側と低負荷側でそれぞれ上限の回転数を別々に設定して、コンプレッサ１２の負荷の抑制と冷却能力の確保を行っている。そこで、上記したようにこのステップＳ８におけるＦモードにおいては、コンプレッサ１２の駆動周波数の上限値を６５Ｈｚとし、後から説明するステップＳ１２におけるＲモードにおけるコンプレッサ１２の駆動周波数の上限値を５０Ｈｚに定めている。
【００５８】
また、Ｆファン２８は高速で回転させてＦエバ２６の冷気を冷凍室５に送り冷却を行う。Ｒファン２０は低速で回転させて、Ｒエバ１８に付着した霜などを取り除き、その取り除いた水分を冷蔵室２に送り収納された食品に水分を与える潤い運転を行う。Ｃファン２９は凝縮器１４における冷媒の蒸発を促すために高速で回転させる。
【００５９】
ステップＳ９において、ステップＳ８の動作を電源投入後１６０分経過しているか、または、Ｆ温度が冷凍室下限温度（例えば、−２０℃）のどちらかの条件になればステップＳ１０に進む。以下、ステップＳ８とステップＳ９をまとめて第３ステップにおけるＦモードという。
【００６０】
ステップＳ１０においては、三方弁２２を全閉状態にし、コンプレッサ１２を６５Ｈｚで回転させ冷媒回収モードを行う。この場合にＦファン２８は高速で回転させて冷凍室５の冷却を行い、Ｒファン２０とＣファン２９は停止させておく。
【００６１】
ステップＳ１１においては冷媒回収モードを９０秒行いその後ステップＳ１２に進む。
【００６２】
ステップＳ１２においては、冷蔵室２を冷却するＲモードを行う。すなわち、三方弁２２を冷蔵側キャピラリーチューブ１６に流すようにし、Ｆファン２８は停止し、Ｒファン２０を高速で回転させ、Ｃファン２９を高速で回転させる。そして、コンプレッサ１２の駆動周波数は上記で説明したように５０Ｈｚで回転させる。
【００６３】
ステップＳ１３において、ステップＳ１２の動作が電源投入後１８０分経過するまで行うか、Ｒ温度がｏｆｆ温度に到達するかどちらかの条件を満たすまで行い、どちらかの条件が具備されれば、通常の交互冷却運転に移行する。このステップＳ１２とステップＳ１３をまとめて第３ステップにおけるＲモードという。また、以下ではステップＳ８からステップＳ１３をまとめて第３ステップという。
【００６４】
以上の起動制御運転であると、冷蔵室２と冷凍室５の冷却をそれぞれＲエバ１８とＦエバ２６の両方で行い、それぞれの冷媒の絞りを冷蔵側キャピラリーチューブ１６と冷凍側キャピラリーチューブ２４で行うため、本来の設計通りの冷却能力を発揮することができる。
【００６５】
また、第１ステップにおけるコンプレッサ１２の駆動周波数を固定し、第２ステップにおける周波数を固定し、第３ステップにおけるＲモードとＦモードにおけるコンプレッサ１２の駆動周波数の上限値を制限することによって、電源投入直後の無冷却におけるコンプレッサ１２へかかる負荷の増大に対して、コンプレッサ１２の使用範囲を超えることがなく、コンプレッサ１２の運転不良を起こすことを防止できる。
【００６６】
冷凍室５と冷蔵室２のそれぞれが他方の熱負荷影響を受けるなく冷却能力を発揮することで、冷蔵室２と冷凍室５の冷却スピードが安定したものとなる。
【００６７】
冷凍サイクル１０で使用する冷媒が、イソブタンであるため、三方弁２２などの耐圧条件を低く設定することができ、構造の簡素化や駆動コイルの低コスト化が図ることができる。
【００６８】
すなわち、従来の冷媒Ｒ１３４ａとＲ６００ａ（イソブタン）では冷媒物性上圧力に大きな差がある。例えば、室温３５℃での電源投入時の最大圧力がＲ１３４ａでは１．６２ＭＰａであり、Ｒ６００ａでは０．９０ＭＰａであって、Ｒ６００ａがかなり低くなっているので、三方弁２２などの耐圧条件を低く設定することができる。
【００６９】
なお、上記実施例において説明したコンプレッサ１２の駆動周波数は例示であって、冷蔵庫１の容積や、コンプレッサ１２の能力によってもその値は異なってくる。
【００７０】
【発明の効果】
以上により本発明の冷蔵庫であると、電源投入後の起動時において、冷蔵室と冷凍室を迅速に冷却することができると共に、コンプレッサに高い負荷をかけることなく、起動不良などの運転不良を起こすことがない。
【図面の簡単な説明】
【図１】本発明の一実施例を示す冷蔵庫の縦断面図である。
【図２】冷凍サイクルの構成図である。
【図３】起動制御モードのフローチャートである。
【符号の説明】
１　冷蔵庫
２　冷蔵室
５　冷凍室
１０　冷凍サイクル
１２　コンプレッサ
１４　凝縮器
１６　冷蔵側キャピラリーチューブ
１８　Ｒエバ
２０　Ｒファン
２２　三方弁
２４　冷凍側キャピラリーチューブ
２６　Ｆエバ
２８　Ｆファン
２９　Ｃファン
【図１】
2004077029.tif 000003
【図２】
2004077029.tif 000004
【図３】
2004077029.tif 000005